(57)【要約】【課題】  周囲音環境の変化に対する音調整の追従性を確保しつつ、聴取者に聴感状の違和感を与えることを抑制する。【解決手段】  算出部７２０が、周期的に、収音部８１０により収音された周囲音の振幅レベルの絶対値の平均値である第１平均値μ1及び当該振幅レベルの標準偏差σを算出する。引き続き、算出部７２０が、第１平均値μ1及び標準偏差σに基づいて、通常レベル範囲の上限値及び下限値を算出することにより、当該通常レベル範囲を決定する。次に、算出部７２０が、決定された通常レベル範囲内の周囲音の振幅レベルの絶対値の平均値である第２平均値μ2を算出する。そして、調整部７４０が、算出部７２０によって算出された第２平均値μ2に基づいて、音量調整を含む出力音の調整を行う。【選択図】  図１
2017163448.tif 000002
【特許請求の範囲】
【請求項１】
周期的に、収音された周囲音の振幅レベルの絶対値の統計量に基づいて通常レベル範囲を決定し、前記通常レベル範囲内の前記周囲音の振幅レベルの絶対値の平均値及び中央値の一方を算出する算出部と；
前記算出部による算出結果に基づいて、音量調整を含む出力音の調整を行う調整部と；
を備えることを特徴とする音調整装置。
【請求項２】
前記統計量は、平均値及び標準偏差である、ことを特徴とする請求項１に記載の音調整装置。
【請求項３】
前記算出部は、前記通常レベル範囲の上限ＬＶUを、前記平均値μ、前記標準偏差σ及び第１係数αに基づいて、次の（Ｉ）式により算出する、
ＬＶU＝μ＋α・σ                          …（Ｉ）
ことを特徴とする請求項２に記載の音調整装置。
【請求項４】
前記周囲音の音量に関連する周囲音関連情報を取得する取得部を更に備え、
前記算出部は、前記取得部による取得結果に基づいて、前記第１係数αの値を決定する、
ことを特徴とする請求項３に記載の音調整装置。
【請求項５】
前記算出部は、前記通常レベル範囲の下限ＬＶLを、前記平均値μ、前記標準偏差σ及び第２係数βに基づいて、次の（II）式により算出する、
ＬＶL＝μ−β・σ                          …（II）
ことを特徴とする請求項２に記載の音調整装置。
【請求項６】
前記周囲音の音量に関連する周囲音関連情報を取得する取得部を更に備え、
前記算出部は、前記取得部による取得結果に基づいて、前記第２係数βの値を決定する、
ことを特徴とする請求項５に記載の音調整装置。
【請求項７】
前記算出部は、
前記通常レベル範囲の上限ＬＶUを、前記平均値μ、前記標準偏差σ及び第１係数αに基づいて、次の（Ｉ）式により算出し、
ＬＶU＝μ＋α・σ                          …（Ｉ）
前記通常レベル範囲の下限ＬＶLを、前記平均値μ、前記標準偏差σ及び第２係数βに基づいて、次の（II）式により算出する、
ＬＶL＝μ−β・σ                          …（II）
ことを特徴とする請求項２に記載の音調整装置。
【請求項８】
前記周囲音の音量に関連する周囲音関連情報を取得する取得部を更に備え、
前記算出部は、前記取得部による取得結果に基づいて、前記第１係数αの値及び前記第２係数βの値を決定する、
ことを特徴とする請求項７に記載の音調整装置。
【請求項９】
前記統計量は、中央値及び標準偏差である、ことを特徴とする請求項１に記載の音響調整装置。
【請求項１０】
算出部と、調整部とを備える音調整装置において使用される音調整方法であって、
前記算出部が、周期的に、収音された周囲音の振幅レベルの絶対値の統計量に基づいて通常レベル範囲を決定し、前記通常レベル範囲内の前記周囲音の振幅レベルの絶対値の平均値及び中央値の一方を算出する算出工程と；
前記調整部が、前記算出工程による算出結果に基づいて、音量調整を含む出力音の調整を行う調整工程と；
を備えることを特徴とする音調整方法。
【請求項１１】
音調整装置が有するコンピュータに、請求項１０に記載の音調整方法を実行させる、ことを特徴とする音調整プログラム。
【請求項１２】
音調整装置が有するコンピュータにより読み取り可能に、請求項１１に記載の音調整プログラムが記録されている、ことを特徴とする記録媒体。
【発明の詳細な説明】
【技術分野】
【０００１】
本発明は、音調整装置、音調整方法及び音調整プログラム、並びに、当該音調整プログラムが記録された記録媒体に関する。
【背景技術】
【０００２】
従来から、携帯用音声機器を用い、ヘッドフォンやイヤフォンを介して、楽曲音等のコンテンツ音声を聴取することが広く行われている。こうしたヘッドフォンやイヤフォンを介したコンテンツ音声の聴取の場合には、周囲音は騒音となる。
【０００３】
そこで、周囲音の音量に応じて出力音量を調整する技術が提案されている（特許文献１参照：以下、「従来例」という）。かかる従来例の技術では、周囲音の収音結果に対して増幅、検波及びフィルタリングを行って騒音のレベルの検出を行い、当該検出の結果に応じて出力音量を調整するようになっている。
【先行技術文献】
【特許文献】
【０００４】
【特許文献１】特開平４−３５７７０７号公報
【発明の概要】
【発明が解決しようとする課題】
【０００５】
上述した従来例の技術では、突発的な周囲音が発生した場合には、当該突発的な周囲音を含む収音結果から、突発的な周囲音の影響を考慮することなく、出力音量を調整していた。このため、収音結果の波形の時間平均化処理を行ったとしても、少なからず突発的な周囲音の影響が加わった態様で、出力音量が調整されることになっていた。
【０００６】
この結果、従来例の技術では、音量が比較的大きな突発的な周囲音が頻繁に発生している環境下では、出力音量が頻繁に大きく変化することになり、聴取者に聴感上の違和感を与えることになってしまう。また、従来例の技術では、突発的な周囲音の音量の低減が頻繁に発生している環境下でも、出力音量が頻繁に大きく変化することになり、聴取者に聴感上の違和感を与えることになってしまう。
【０００７】
かかる出力音量が頻繁に大きく変化することによる聴取者の聴感上の違和感の発生を防止するため、長時間にわたる時間平均化処理を行うことが考えられる。しかしながら、長時間にわたる時間平均化処理を行うと、音量調整の周囲音環境の変化に対する追従性が悪化することになってしまう。
【０００８】
このため、音量調整の周囲音環境の変化に対する追従性を確保しつつ、聴取者に聴感上の違和感を与えることを抑制することができる技術が望まれている。かかる要請の応えることが、本発明が解決すべき課題の一つとして挙げられる。
【課題を解決するための手段】
【０００９】
請求項１に記載の発明は、周期的に、収音された周囲音の振幅レベルの絶対値の統計量に基づいて通常レベル範囲を決定し、前記通常レベル範囲内の前記周囲音の振幅レベルの絶対値の平均値及び中央値の一方を算出する算出部と；前記算出部による算出結果に基づいて、音量調整を含む出力音の調整を行う調整部と；を備えることを特徴とする音調整装置である。
【００１０】
請求項１０に記載の発明は、算出部と、調整部とを備える音調整装置において使用される音調整方法であって、前記算出部が、周期的に、収音された周囲音の振幅レベルの絶対値の統計量に基づいて通常レベル範囲を決定し、前記通常レベル範囲内の前記周囲音の振幅レベルの絶対値の平均値及び中央値の一方を算出する算出工程と；前記調整部が、前記算出工程による算出結果に基づいて、音量調整を含む出力音の調整を行う調整工程と；を備えることを特徴とする音調整方法である。
【００１１】
請求項１１に記載の発明は、音調整装置が有するコンピュータに、請求項１０に記載の音調整方法を実行させる、ことを特徴とする音調整プログラムである。
【００１２】
請求項１２に記載の発明は、音調整装置が有するコンピュータにより読み取り可能に、請求項１１に記載の音調整プログラムが記録されている、ことを特徴とする記録媒体である。
【図面の簡単な説明】
【００１３】
【図１】本発明の一実施形態に係る音調整装置の概略的な構成を示すブロック図である。
【図２】本発明の一実施例に係る音調整装置の概略的な構成を示すブロック図である。
【図３】図２の係数テーブルの内容を説明するための図である。
【図４】図２の処理制御ユニットによる音調整の制御処理のフローチャートである。
【図５】定常的な周囲音の収音波形、及び、突発音が含まれる周囲音の収音波形を例示する図である。
【図６】図５（Ａ）の定常的な周囲音の収音波形の絶対値波形、及び、図５（Ｂ）の突発音が含まれる周囲音の収音波形の絶対値波形を示す図である。
【図７】定常的な周囲音の場合の第１平均値、突発音が含まれる周囲音の場合の第１平均値、及び、突発音が含まれる周囲音の場合の第２平均値を示す図である。
【図８】定常的な周囲音の収音波形、及び、突発的な音量低減が含まれる周囲音の収音波形を例示する図である。
【図９】図８（Ａ）の定常的な周囲音の収音波形の絶対値波形、及び、図８（Ｂ）の突発的な音量低減が含まれる周囲音の収音波形の絶対値波形を示す図である。
【図１０】定常的な周囲音の場合の第１平均値、突発的な音量低減が含まれる周囲音の場合の第１平均値、及び、突発的な音量低減が含まれる周囲音の場合の第２平均値を示す図である。
【発明を実施するための形態】
【００１４】
以下、本発明の一実施形態を、添付図面を参照して説明する。なお、以下の説明及び図面においては、同一又は同等の要素には同一の符号を付し、重複する説明を省略する。
【００１５】
［構成］
図１には、一実施形態に係る音調整装置７００の概略的な構成が示されている。この図１に示されるように、音調整装置７００は、収音部８１０、音コンテンツ源８２０及び音出力部８３０と接続されている。
【００１６】
ここで、収音部８１０は、マイクロフォン等の収音デバイスを備えて構成される。この収音部８１０は、収音デバイスにより、周囲音を収音する。そして、収音部８１０は、収音結果を、収音データとして、音調整装置７００へ送る。
【００１７】
また、音コンテンツ源８２０は、音コンテンツデータを音調整装置７００へ送る。こうした音コンテンツ源８２０としては、ＣＤプレーヤ、ＤＶＤプレーヤ、音コンテンツサーバから音コンテンツデータを取得する通信部等が挙げられる。
【００１８】
また、音出力部８３０は、ヘッドフォン、イヤフォン等の音出力デバイスを備えて構成されている。この音出力部８３０は、音調整装置７００から送られた出力音信号を受ける。そして、音出力部８３０は、当該出力音信号に対応する音を出力する。
【００１９】
なお、音出力部８３０の音出力デバイスから出力される音が収音部８１０による収音結果へ与える影響は、無視できるようになっている。
【００２０】
＜音調整装置７００の構成＞
上記の音調整装置７００は、図１に示されるように、取得部７１０と、算出部７２０とを備えている。また、音調整装置７００は、音再生部７３０と、調整部７４０と、増幅部７５０とを備えている。
【００２１】
上記の取得部７１０は、算出部７２０から送られた取得指令を受けると、周囲音関連情報を取得する。こうした周囲音関連情報としては、現在位置の地域属性情報、現在位置における天候情報、現時点の時間帯等が挙げられる。取得部７１０による取得結果は、算出部７２０へ送られる。
【００２２】
上記の算出部７２０は、収音部８１０から送られた収音データを受ける。そして、算出部７２０は、予め定められた時間ＴPが経過するたびに、直前の時間ＴPの期間における第２平均値μ2を算出する。こうして算出された第２平均値μ2は、調整部７４０へ送られる。また、算出部７２０は、取得指令を取得部７１０へ送る。
【００２３】
なお、算出部７２０による第２平均値μ2の算出処理については、後述する。
【００２４】
上記の音再生部７３０は、音コンテンツ源８２０から送られた音コンテンツデータを受ける。そして、音再生部７３０は、当該音コンテンツデータに対応する音信号を再生する。こうして再生された音信号は、調整部７４０へ送られる。
【００２５】
上記の調整部７４０は、音再生部７３０から送られた音信号、及び、算出部７２０から送られた第２平均値μ2を受ける。そして、調整部７４０は、第２平均値μ2に基づいて、音信号の調整を行い、調整音信号を生成する。こうして生成された調整音信号は、増幅部７５０へ送られる。
【００２６】
なお、調整部７４０による音調整処理については、後述する。
【００２７】
上記の増幅部７５０は、調整部７４０から送られた調整音信号を受ける。そして、増幅部７５０は、調整音信号のパワー増幅を行って出力音信号を生成する。こうして生成された出力音信号は、音出力部８３０へ送られる。
【００２８】
［動作］
次に、上記のように構成された音調整装置７００の動作について、算出部７２０による第２平均値μ2の算出処理、及び、調整部７４０による音調整処理に主に着目して説明する。
【００２９】
前提として、音コンテンツ源８２０からは、音コンテンツデータが逐次送られているものとする。また、収音部８１０からは、収音データが逐次送られているものとする。
【００３０】
音コンテンツ源８２０から送られた音コンテンツデータを受けると、音再生部７３０は、当該音コンテンツデータに対応する音信号を再生する。そして、音再生部７３０は、再生された音信号を調整部７４０へ送る。
【００３１】
音再生部７３０から送られた音信号を受けると、調整部７４０は、算出部７２０から最新に送られた第２平均値μ2に基づいて音調整処理を行い、調整音信号を生成する。そして、調整部７４０は、生成された調整音信号を増幅部７５０へ送る。なお、本実施形態では、調整部７４０は、音調整処理として、周波数特性の調整処理及び音量の調整処理を行うようになっている。
【００３２】
ここで、調整部７４０は、周波数特性の調整処理として、低域強調処理を行う。これは、周囲音、すなわち、コンテンツ音の聴取にとっての環境ノイズ音は、一般に、低域から高域にかけて徐々にレベルが下がっていくような特性を有していることによる。このため、本実施形態では、「低域をブーストし、マスキングされる傾向がある帯域を増強する」ようになっている。
【００３３】
また、調整部７４０は、音量の調整処理として、周囲音のレベルを反映している第２平均値μ2が大きくなるほど、電子ボリューム等の音量調整デバイスを制御し、出力音の音量を増加させる調整を行う。一方、調整部７４０は、第２平均値μ2が小さくなるほど、音量調整デバイスを制御し、出力音の音量を減少させる調整を行う。
【００３４】
調整部７４０から送られた調整音信号を受けると、増幅部７５０は、調整音信号のパワー増幅を行って出力音信号を生成する。そして、増幅部７５０は、生成された出力音信号を音出力部８３０へ送る。この結果、音出力部８３０から当該出力音信号に対応する音が出力される。
【００３５】
上述した音再生部７３０、調整部７４０及び増幅部７５０の動作と並行して、取得部７１０と算出部７２０とが協働して、第２平均値μ2の算出処理を行う。以下、第２平均値μ2の算出処理について説明する。
【００３６】
＜第２平均値μ2の算出処理＞
算出部７２０は、前回の第２平均値μ2の算出から予め定められた時間ＴPが経過するたびに、周期的に新たな第２平均値μ2の算出を行う。
【００３７】
かかる第２平均値μ2の算出処理に際しては、算出部７２０が、まず、前回の第２平均値μ2の算出から時間ＴPが経過すると、直前の時間ＴPの期間の収集データＮ（Ｔ）の絶対値データ｜Ｎ（Ｔ）｜を算出する。引き続き、算出部７２０は、絶対値データ｜Ｎ（Ｔ）｜の平均値である第１平均値μ1及び絶対値データ｜Ｎ（Ｔ）｜の標準偏差σを算出する。
【００３８】
次に、算出部７２０が、直前の時間ＴPの期間における周囲音の通常レベル範囲を決定する。かかる通常レベル範囲の決定に際しては、算出部７２０が、まず、取得部７１０に対して取得指令を送る。この取得指令を受けると、取得部７１０は、上述のようにして、周囲音関連情報を取得する。そして、取得部７１０は、取得結果を算出部７２０へ送る。
【００３９】
取得部７１０から送られた周囲音関連情報を受けると、算出部７２０が、当該周囲音関連情報に基づいて、第１係数αの値及び第２係数βの値を決定する。周囲音関連情報の内容と、第１係数αの値及び第２係数βの値との関係は、実験、シミュレーション、経験等に基づいて、予め定められている。
【００４０】
引き続き、算出部７２０が、決定された第１係数αの値及び第２係数βの値、並びに、先に算出した第１平均値μ1及び標準偏差σを利用して、次の（１），（２）式により、直前の時間ＴPの期間における周囲音の通常レベル範囲の上限ＬＶU及び下限ＬＶLを算出することにより、当該通常レベル範囲を決定する。
ＬＶU＝μ1＋α・σ                      …（１）
ＬＶL＝μ1−β・σ                      …（２）
【００４１】
次いで、算出部７２０が、絶対値データ｜Ｎ（Ｔ）｜の中から、決定された通常レベル範囲内の絶対値データを抽出する。引き続き、算出部７２０が、抽出された絶対値データの平均値を、第２平均値μ2として算出する。そして、算出部７２０は、算出された第２平均値μ2を調整部７４０へ送る。
【００４２】
以上説明したように、本実施形態では、算出部７２０が、周期的に、収音部８１０により収音された周囲音の振幅レベルの絶対値の平均値である第１平均値μ1及び当該絶対値の標準偏差σを算出する。引き続き、算出部７２０が、第１平均値μ1及び標準偏差σに基づいて、通常レベル範囲を決定する。次に、算出部７２０が、決定された通常レベル範囲内の周囲音の振幅レベルの絶対値の平均値である第２平均値μ2を算出する。そして、調整部７４０が、算出部７２０によって算出された第２平均値μ2に基づいて、音量調整を含む出力音の調整を行う。
【００４３】
したがって、本実施形態によれば、音量調整を含む音調整の周囲音環境の変化に対する追従性を確保しつつ、聴取者に聴感上の違和感を与えることを抑制することができる。
【００４４】
また、本実施形態では、周囲音の通常レベル範囲の決定を、周囲音の振幅レベルの絶対値の平均値である第１平均値μ1及び標準偏差σに基づいて決定する。このため、周囲音の通常レベル範囲を、合理的に決定することができる。
【００４５】
また、本実施形態では、周囲音の通常レベル範囲を、上述した（１），（２）式を利用して決定する。このため、周囲音の通常レベル範囲を、より合理的に決定することができる。
【００４６】
また、本実施形態では、取得部７１０により取得された周囲音関連情報を参照して、（１）における第１係数αの値、及び、（２）式における第２係数βの値を決定する。このため、周囲音の通常レベル範囲を、さらに合理的に決定することができる。
【００４７】
［実施形態の変形］
本発明は、上記の実施形態に限定されるものではなく、様々な変形を行うことができる。
【００４８】
例えば、上記の実施形態では、通常レベル範囲の決定に際して、直前の時間ＴPの期間の絶対値データ｜Ｎ（Ｔ）｜の平均値である第１平均値μ1を利用した。これに対し、第１平均値μ1に代えて、絶対値データ｜Ｎ（Ｔ）｜の中央値Ｍ1を採用してもよい。
【００４９】
また、上記の実施形態では、絶対値データ｜Ｎ（Ｔ）｜の中から、決定された通常レベル範囲内の絶対値データを抽出し、抽出された絶対値データの平均値である第２平均値μ2を、音調整のために算出するようにした。これに対し、第２平均値μ2に代えて、決定された通常レベル範囲内の絶対値データの中央値Ｍ2を採用するようにしてもよい。
【００５０】
また、上記の実施形態では、周囲音関連情報を参照して、第１及び第２係数の値を決定するようにした。これに対し、第１及び第２係数の値の少なくとも一方を、周囲音関連情報に関わらない値として、実験、シミュレーション、経験等に基づいて予め定めておくようにしてもよい。
【００５１】
また、上記の実施形態では、通常レベル範囲の上限及び下限の双方を算出して、通常レベル範囲を決定するようにした。これに対し、上限及び下限のいずれか一方のみを算出して、通常レベル範囲を決定するようにしてもよい。
【００５２】
また、上記の実施形態では、周囲音環境情報として、現在位置の地域属性情報、現在位置における天候情報、現時点の時間帯を例示したが、これらの内の任意の数の情報を採用してもよい。また、これらの３種類の情報に加えて又は代えて、他の情報を周囲音環境情報として採用してもよい。なお、周囲音環境情報として複数種類の情報を採用した場合には、採用された複数種類の情報の組み合わせごとに、第１係数αの値及び第２係数βの値が、実験、シミュレーション、経験等に基づいて、予め定められる。
【００５３】
なお、上記の実施形態の音調整装置７００の算出部７２０、音再生部７３０及び調整部７４０の一部又は全部を、中央処理装置（ＣＰＵ：Central Processing Unit）、ＤＳＰ（Digital Signal Processor）等を備えた演算部としてのコンピュータとして構成し、予め用意されたプログラムを当該コンピュータで実行することにより、算出部７２０、音再生部７３０及び調整部７４０の一部又は全部の機能を果たすようにしてもよい。このプログラムはハードディスク、ＣＤ−ＲＯＭ、ＤＶＤ等のコンピュータで読み取り可能な記録媒体に記録され、当該コンピュータによって記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【実施例】
【００５４】
以下、本発明の一実施例を、図２〜図１０を参照して説明する。なお、以下の説明及び図面においては、同一又は同等の要素については同一の符号を付し、重複する説明を省略する。
［構成］
図２には、一実施例に係る音調整装置１００の概略的な構成が示されている。なお、音調整装置１００は、上述した実施形態の音調整装置７００（図１参照）の一態様となっている。
【００５５】
図２に示されるように、音調整装置１００は、外部に配置された収音ユニット２１０、音コンテンツ源２２０及び音出力ユニット２３０と接続されている。ここで、収音ユニット２１０は、上述した収音部８１０と同様に構成されている。そして、収音ユニット２１０による収音結果は、収音データとして、音調整装置１００へ送られる。
【００５６】
また、音コンテンツ源２２０は、上述した音コンテンツ源８２０と同様に構成されている。そして、音コンテンツ源２２０からは、音コンテンツデータが、音調整装置１００へ送られる。
【００５７】
また、音出力ユニット２３０は、上述した音出力部８３０と同様に構成されている。そして、音出力ユニット２３０は、音調整装置１００から送られた出力音信号に対応する音を出力する。
【００５８】
＜音調整装置１００の構成＞
上記の音調整装置１００は、図２に示されるように、処理制御ユニット１１０と、記憶ユニット１２０と、位置検出ユニット１４０と、無線通信ユニット１５０とを備えている。また、音調整装置１００は、音再生ユニット１６０と、調整ユニット１７０と、増幅ユニット１８０とを備えている。
【００５９】
上記の処理制御ユニット１１０は、音調整装置１００の全体を統括制御するとともに、様々な処理を行う。この処理制御ユニット１１０については、後述する。
【００６０】
上記の記憶ユニット１２０は、不揮発性の記憶素子を備えて構成され、音調整装置１００において利用される様々な情報データが記憶される。こうした情報データには、係数テーブルＴＢＬが含まれている。記憶ユニット１２０には、処理制御ユニット１１０がアクセス可能となっている。
【００６１】
なお、記憶ユニット１２０に記憶される係数テーブルＴＢＬの内容については、後述する。
【００６２】
上記の位置検出ユニット１４０は、ＧＰＳ測位を行って、現在位置を検出する。位置検出ユニット１４０による検出結果は、処理制御ユニット１１０へ逐次送られる。この位置検出ユニット１４０は、上述した取得部７１０の一部の機能を果たすようになっている。
【００６３】
上記の無線通信ユニット１５０は、処理制御ユニット１１０と外部のサーバ装置との間の通信に際して利用される。無線通信ユニット１５０を利用することにより、処理制御ユニット１１０は、位置検出ユニット１４０により検出された現在位置における天候情報を、天候情報サーバから取得するとともに、当該現在位置が属する地域属性情報を、地図情報サーバから取得する。すなわち、無線通信ユニット１５０は、上述した取得部７１０の一部の機能を果たすようになっている。
【００６４】
上記の音再生ユニット１６０は、音コンテンツ源２２０から送られた音コンテンツデータを受ける。そして、音再生ユニット１６０は、当該音コンテンツデータに対応する音信号を再生する。こうして再生された音信号は、調整ユニット１７０へ送られる。すなわち、音再生ユニット１６０は、上述した音再生部７３０の機能を果たすようになっている。
【００６５】
上記の調整ユニット１７０は、音再生ユニット１６０から送られた音信号を受ける。そして、調整ユニット１７０は、処理制御ユニット１１０から送られた第２平均値μ2に基づいて、音信号の調整を行い、調整音信号を生成する。こうして生成された調整音信号は、増幅ユニット１８０へ送られる。すなわち、調整ユニット１７０は、上述した調整部７４０の機能を果たすようになっている。
【００６６】
上記の増幅ユニット１８０は、調整ユニット１７０から送られた調整音信号を受ける。そして、増幅ユニット１８０は、調整音信号のパワー増幅を行って出力音信号を生成する。こうして生成された出力音信号は、音出力ユニット２３０へ送られる。すなわち、増幅ユニット１８０は、上述した増幅部７５０の機能を果たすようになっている。
【００６７】
次に、上記の処理制御ユニット１１０について説明する。この処理制御ユニット１１０は、中央処理装置（ＣＰＵ）及び周辺回路（時計機構を含む）を備えて構成されている。処理制御ユニット１１０が様々なプログラムを実行することにより、音調整装置１００としての各種機能が実現されるようになっている。こうした機能の中には、上述した実施形態における取得部７１０の機能の一部、算出部７２０の機能も含まれている。
【００６８】
なお、処理制御ユニット１１０により実行される音調整の制御処理については、後述する。
【００６９】
＜係数テーブルＴＢＬの内容＞
ここで、記憶ユニット１２０に記憶されている係数テーブルＴＢＬの内容について説明する。
【００７０】
係数テーブルＴＢＬには、図３に示されるように、周囲音関連情報である地域属性、時間帯及び天候の組み合わせに関連付けて、当該組み合わせに対応する第１係数αの値αijk及び第２係数βの値βijkが登録されている。なお、本実施例では、上述した３種類の周囲音関連情報の内容の組み合わせと、第１係数αの値αijk及び第２係数βの値βijkとの関係は、実験、シミュレーション、経験等に基づいて、予め定められている。
【００７１】
本実施例では、地域属性として、繁華街、住宅街及び閑散地を区別するようになっている。ここで、例えば、繁華街、住宅街、閑散地の順に、第１係数αの値αijk及び第２係数βの値βijkが小さくなるようになっている。
【００７２】
また、本実施例では、時間帯として、昼間及び夜間を区別するようになっている。ここで、例えば、昼間、夜間の順に第１係数αの値αijk及び第２係数βの値βijkが大きくなるようになっている。
【００７３】
また、本実施例では、天候として、晴又は曇、雨及び雪を区別するようになっている。ここで、例えば、雨、晴又は曇、雪の順に第１係数αの値αijk及び第２係数βの値βijkが小さくなるようになっている。
【００７４】
［動作］
次に、上記のように構成された音調整装置１００の動作について、処理制御ユニット１１０により実行される音調整の制御処理に主に着目して説明する。
【００７５】
前提として、音コンテンツ源２２０からは、音コンテンツデータが逐次送られているものとする。また、収音ユニット２１０からは、収音データが逐次送られているものとする。
【００７６】
なお、処理制御ユニット１１０は、収音ユニット２１０から送られた収音データを記憶ユニット１２０のバッファ領域にバッファリングするようになっている。
【００７７】
音コンテンツ源２２０から送られた音コンテンツデータを受けると、音再生ユニット１６０は、当該音コンテンツデータに対応する音信号を再生する。そして、音再生ユニット１６０は、再生された音信号を調整ユニット１７０へ送る。
【００７８】
音再生ユニット１６０から送られた音信号を受けると、調整ユニット１７０は、処理制御ユニット１１０から最新に送られた第２平均値μ2に基づいて音調整処理を行い、調整音信号を生成する。そして、調整ユニット１７０は、生成された調整音信号を増幅ユニット１８０へ送る。
【００７９】
なお、本実施例では、上述の実施形態の場合と同様に、調整ユニット１７０は、音調整処理として、周波数特性の調整処理及び音量の調整処理を行うようになっている。
【００８０】
調整ユニット１７０から送られた調整音信号を受けると、増幅ユニット１８０は、調整音信号のパワー増幅を行って出力音信号を生成する。そして、増幅ユニット１８０は、生成された出力音信号を音出力ユニット２３０へ送る。この結果、音出力ユニット２３０から当該出力音信号に対応する音が出力される。
【００８１】
上述した音再生ユニット１６０、調整ユニット１７０及び増幅ユニット１８０の動作と並行して、処理制御ユニット１１０が、音調整の制御処理を実行する。以下、処理制御ユニット１１０により実行される音調整の制御処理を説明する。
【００８２】
かかる音調整の制御処理に際しては、図４に示されるように、まず、ステップＳ１１において、処理制御ユニット１１０が、前回の第２平均値μ2の算出から予め定められた時間ＴPが経過したか否かを判定する。ステップＳ１１における判定の結果が否定的であった場合（ステップＳ１１：Ｎ）には、ステップＳ１１の処理が繰り返される。
【００８３】
時間ＴPが経過し、ステップＳ１１における判定の結果が肯定的となると（ステップＳ１１：Ｙ）、処理はステップＳ１２へ進む。このステップＳ１２では、処理制御ユニット１１０が、直前の時間ＴPの期間の収集データＮ（Ｔ）の絶対値データ｜Ｎ（Ｔ）｜の平均値である第１平均値μ1及び標準偏差σを算出する。
【００８４】
かかる第１平均値μ1及び標準偏差σの算出に際しては、処理制御ユニット１１０が、まず、記憶ユニット１２０内の直前の時間ＴPの期間の収集データＮ（Ｔ）を読み取る。引き続き、処理制御ユニット１１０が、読み取られた収集データＮ（Ｔ）の絶対値データ｜Ｎ（Ｔ）｜を算出する。そして、処理制御ユニット１１０が、絶対値データ｜Ｎ（Ｔ）｜の平均値である第１平均値μ1及び絶対値データ｜Ｎ（Ｔ）｜の標準偏差σを算出する。
【００８５】
次に、ステップＳ１３において、絶対値データ｜Ｎ（Ｔ）｜の通常レベル範囲を決定する。かかる通常レベル範囲を決定に際しては、処理制御ユニット１１０が、周囲音関連情報を取得する。
【００８６】
すなわち、処理制御ユニット１１０は、内部の時計機構を利用して、現在時刻を特定し、昼間の時間帯であるか、夜間の時間帯であるかの時間帯情報を取得する。また、処理制御ユニット１１０は、位置検出ユニット１４０から最新に送られた検出位置を現在位置として、現在位置が属する地域属性を、無線通信ユニット１５０を利用して地図情報サーバから取得する。また、処理制御ユニット１１０は、位置検出ユニット１４０から最新に送られた検出位置を現在位置として、現在位置における天候を、無線通信ユニット１５０を利用して天候サーバから取得する。
【００８７】
引き続き、処理制御ユニット１１０が、取得された３種の情報に基づいて記憶ユニット１２０内の係数テーブルＴＢＬを参照して、第１係数αの値及び第２係数βの値を決定する。そして、処理制御ユニット１１０は、決定された第１係数αの値及び第２係数βの値、並びに、先に算出した第１平均値μ1及び標準偏差σを利用して、上述した（１），（２）式により、直前の時間ＴPの期間における周囲音の通常レベル範囲の上限ＬＶU及び下限ＬＶLを算出することにより、当該通常レベル範囲を決定する。
【００８８】
次いで、ステップＳ１４において、処理制御ユニット１１０が、絶対値データ｜Ｎ（Ｔ）｜の中から、決定された通常レベル範囲内の絶対値データを抽出する。引き続き、処理制御ユニット１１０が、抽出された絶対値データの平均値を、第２平均値μ2として算出する。そして、処理制御ユニット１１０が、算出された第２平均値μ2を調整ユニット１７０へ送る。
【００８９】
ステップＳ１４の処理が終了すると、処理はステップＳ１１へ戻る。以後、ステップＳ１１〜Ｓ１４の処理が繰り返される。
【００９０】
なお、図５（Ａ）には定常的な周囲音の収音波形Ｎ0（Ｔ）の例が示され、図５（Ｂ）には突発音が含まれる周囲音の収音波形Ｎ1（Ｔ）の例が示されている。また、図６（Ａ）には絶対値波形｜Ｎ0（Ｔ）｜が示され、図６（Ｂ）には、絶対値波形｜Ｎ1（Ｔ）｜が示されている。
【００９１】
そして、図７には、絶対値波形｜Ｎ0（Ｔ）｜の第１平均値、絶対値波形｜Ｎ1（Ｔ）｜の第１平均値、及び、絶対値波形｜Ｎ1（Ｔ）｜の第２平均値の推移が示されている。この図７から分るように、絶対値波形｜Ｎ1（Ｔ）｜の第２平均値は、絶対値波形｜Ｎ1（Ｔ）｜の第１平均値と比べて、全般に、絶対値波形｜Ｎ0（Ｔ）｜の第１平均値に近い値で推移し、突発音の存在の影響が緩和されている。
【００９２】
また、図５（Ａ）を再掲する図８（Ａ）には、定常的な周囲音の収音波形Ｎ0（Ｔ）の例が示され、図８（Ｂ）には突発的な音量低減が含まれる周囲音の収音波形Ｎ2（Ｔ）の例が示されている。また、図６（Ａ）を再掲する図９（Ａ）には、絶対値波形｜Ｎ0（Ｔ）｜が示され、図９（Ｂ）には絶対値波形｜Ｎ2（Ｔ）｜が示されている。
【００９３】
そして、図１０には、絶対値波形｜Ｎ0（Ｔ）｜の第１平均値、絶対値波形｜Ｎ2（Ｔ）｜の第１平均値、及び、絶対値波形｜Ｎ2（Ｔ）｜の第２平均値が示されている。この図１０から分るように、絶対値波形｜Ｎ2（Ｔ）｜の第２平均値は、絶対値波形｜Ｎ2（Ｔ）｜の第１平均値と比べて、全般に、絶対値波形｜Ｎ0（Ｔ）｜の第１平均値に近い値で推移し、突発的な音量低減の影響が緩和されている。
【００９４】
以上説明したように、本実施例では、処理制御ユニット１１０が、周期的に、収音ユニット２１０により収音された周囲音の振幅レベルの絶対値の平均値である第１平均値μ1及び当該絶対値の標準偏差σを算出する。引き続き、処理制御ユニット１１０が、第１平均値μ1及び標準偏差σに基づいて、通常レベル範囲を決定する。次に、処理制御ユニット１１０が、決定された通常レベル範囲内の周囲音の振幅レベルの絶対値の平均値である第２平均値μ2を算出する。そして、調整ユニット１７０が、処理制御ユニット１１０によって算出された第２平均値μ2に基づいて、音量調整を含む出力音の調整を行う。
【００９５】
したがって、本実施例によれば、音量調整を含む音調整の周囲音環境の変化に対する追従性を確保しつつ、聴取者に聴感上の違和感を与えることを抑制することができる。
【００９６】
また、本実施例では、周囲音の通常レベル範囲の決定を、周囲音の振幅レベルの絶対値の平均値である第１平均値μ1及び当該絶対値の標準偏差σに基づいて決定する。このため、周囲音の通常レベル範囲を、合理的に決定することができる。
【００９７】
また、本実施例では、周囲音の通常レベル範囲を、上述した（１），（２）式を利用して決定する。このため、周囲音の通常レベル範囲を、より合理的に決定することができる。
【００９８】
また、本実施例では、取得された周囲音関連情報を参照して、（１）における第１係数αの値、及び、（２）式における第２係数βの値を決定する。このため、周囲音の通常レベル範囲を、さらに合理的に決定することができる。
【００９９】
［実施例の変形］
本発明は、上記の実施例に限定されるものではなく、様々な変形を行うことができる。すなわち、上述した実施形態に対する変形と同様の変形を、上記の実施例に施すことができる。
【符号の説明】
【０１００】
１００  …  音調整装置
１１０  …  処理制御ユニット（取得部の一部、算出部）
１４０  …  位置検出ユニット（取得部の一部）
１５０  …  無線通信ユニット（取得部の一部）
１７０  …  調整ユニット（調整部）
７００  …  音調整装置
７１０  …  取得部
７２０  …  算出部
７４０  …  調整部
【図１】
2017163448.tif 000003
【図２】
2017163448.tif 000004
【図３】
2017163448.tif 000005
【図４】
2017163448.tif 000006
【図５】
2017163448.tif 000007
【図６】
2017163448.tif 000008
【図７】
2017163448.tif 000009
【図８】
2017163448.tif 000010
【図９】
2017163448.tif 000011
【図１０】
2017163448.tif 000012